(57)【特許請求の範囲】
【請求項１】
入出金するための紙幣を収納する少なくとも一つの紙幣収納庫と、前記紙幣収納庫の有高を確定する精査の機能を有する紙幣自動入出金装置において、
紙幣収納庫に対して補充または回収を行なうための紙幣を収納する一括収納庫を設け、
前記紙幣収納庫の紙幣を前記一括収納庫に送り、再び前記紙幣収納庫に戻して計数を行うことにより前記精査を行い、
前記精査の後に前記出金に適さないと識別された紙幣を前記一括収納庫の一部領域に収納することを特徴とする紙幣自動入出金装置。
【請求項２】
リジェクト収納庫を備えるとともに、通常取引モードにおいて、出金に適さないと鑑別された紙幣は前記リジェクト収納庫に収納し、前記精査を行った後の精査後取引モードにおいて、出金に適さないと鑑別された紙幣は前記一括収納庫に一部領域に収納することを特徴とする請求項１記載の紙幣自動入出金装置。
【請求項３】
前記一括収納庫に開閉可能に一時保留板を設けて、前記一時保留板を閉じて、前記精査後に、出金に適さないと鑑別された紙幣を、この一時保留板上に収納することを特徴とする請求項２記載の紙幣自動入出金装置。
【請求項４】
精査後取引モードを解除すると、前記一時保留板上に収納した紙幣を前記リジェクト収納庫に収納することを特徴とする請求項３記載の紙幣自動入出金装置。
【請求項５】
精査後取引モード中は、一取引が終了する毎に、前記一時保留板上に収納した紙幣を紙幣収納庫に戻すことを特徴とする請求項３記載の紙幣自動入出金装置。
【請求項６】
前記通常取引モードで前記一時保留板を閉じて、走行異常と鑑別された紙幣をこの一時保留板上に収納し、一取引が終了する毎に、前記一時保留板上に格納した紙幣を紙幣収納庫に戻すことを特徴とする請求項３乃至５のいずれか一項に記載の紙幣自動入出金装置。
【請求項７】
前記一括収納庫に、該一括収納庫に収納した紙幣を押さえ付けるビルプレスを設け、このビルプレスの上面を、前記一時保留板として用いることを特徴とする請求項３乃至５のいずれか一項に記載の紙幣自動入出金装置。
【発明の詳細な説明】
【０００１】
【発明の属する技術分野】
本発明は、顧客等の操作で取引を行う現金自動取引装置に搭載され、紙幣の入出金を行う紙幣自動入出金装置に関するものである。
【０００２】
【従来の技術】
顧客等の操作で取引を行う現金自動取引装置には、紙幣の入出金を行うために紙幣自動入出金装置が搭載されている。
この紙幣自動入出金装置は、金種別に紙幣を収納する複数の金種別カセット、各金種別カセットに対して補充する紙幣を収納するとともに、各金種別カセットから回収する紙幣を収納する一括カセット、リジェクト紙幣を収納するリジェクトカセットが備えられる。
【０００３】
現金自動取引装置で出金取引が行われる場合、紙幣自動入出金装置では、各金種別カセットから紙幣を繰り出して行き、鑑別の結果、出金に適する紙幣は接客口へ送り、出金に適さないリジェクト紙幣はリジェクトカセットへ収納して、接客口に顧客の指定した金種金額の紙幣が揃うと、これを顧客に漬すものである。
このような紙幣自動入出金装置においては、紙幣自動入出金装置内の有高を自動的に確定し、それまでの紙幣の入り払いが正確であったかどうかを確認するために精査機能が設けられていることが一般的である。
【０００４】
この精査機能は、金種別カセットの紙幣をまず一括カセットに送って金種別カセットを空にし、次にこの紙幣を金種別カセットに戻し、この時に計数を行う動作を全ての金種別カセットに対して行うことで、全金種別カセット内の紙幣の有高を計数するものである。  ここで、紙幣自動入出金装置に最初にあった紙幣の有高は判っており、また、取引開始から精査終了間の紙幣入金金額と紙幣出金金額も判っている。
【０００５】
このため、以下の（１）式で精査終了時の紙幣自動入出金装置内の紙幣の有高を確定できる。
（精査終了時の紙幣自動入出金装置内の紙幣の有高）＝（紙幣自動入出金装置に最初にあった紙幣の有高）＋（取引開始から精査終了間の紙幣の入金金額）−（取引開始から精査終了間の紙幣出金金額）・・・（１）
精査終了時に、紙幣自動入出金装置に収納されている紙幣は、金種別カセット以外に、リジェクト紙幣がリジェクトカセットに収納されている。そこで、以下の（２）式を満たせば、それまでの紙幣の入り払いが正確であったことが確認できる。
（（１）式の結果）＝（精査機能で計数した全ての金種別カセットの有高）＋（リジェクトカセット内の紙幣の有高）・・・（２）
リジェクトカセットは、紙幣を収納する機能は有するが、収納している紙幣を繰り出す機能を有していないので、リジェクトカセットに収納した紙幣を鑑別部に送り自動的に計数することはできない。そこで、係員は、精査機能終了後、リジェクトカセット内の紙幣の有高を確認することが必要である。
【０００６】
【発明が解決しようとする課題】
精査機能を実行した後、出金取引があった場合、金種別カセットから繰り出した紙幣の中で、出金に適さないと鑑別されたリジェクト紙幣があると、これはリジェクトカセットに収納される。すると、精査機能実行時にリジェクトカセットに収納されていた紙幣に余分な紙幣が加わることになり、係員がリジェクトカセット内の紙幣の有高を確認した時に、精査結果が合わなくなる。そのため、精査機能を実行した後は、係員は直ぐにリジェクトカセット内の紙幣の有高を確認しなければならず、精査機能を実行するタイミングに制限ができるものであった。
また、これにより、精査機能を実行した後は、係員によるリジェクトカセット内の紙幣の有高を確認するまで、出金取引が実行できないので、顧客サービスが低下するものであった。
【０００７】
そこで、精査機能の実行後も、係員によるリジェクトカセット内の紙幣の有高計数処理と関係なく、取引を続行できるようにする紙幣自動入出金装置を提供することが課題となっている。
【０００８】
【課題を解決するための手段】
上述した課題を解決するため、本願請求項１の発明は紙幣収納庫と、前記紙幣収納庫の有高を確定する精査機能を有する紙幣自動入出金装置において、前記精査の前と後とでは出金に適さない紙幣を区別して収納することを特徴とした紙幣入出金装置である。
請求項２の発明は、請求項１記載の紙幣自動入出金装置において、前記紙幣収納庫に対して補充または回収を行なうための紙幣を収納する一括収納庫とを設け、前記出金に適さない紙幣を区別して収納する領域の一つは前記一括収納庫の一部領域であることを特徴とする紙幣自動入出金装置である。
【０００９】
請求項３の発明は、入出金するための紙幣を収納する少なくとも一つの紙幣収納庫と、前記紙幣収納庫に対して補充する紙幣および該紙幣収納庫から回収した紙幣を収納する一括収納庫と、出金に適さない紙幣を収納するリジェクト収納庫とを備えるとともに、前記一括収納庫に収納した紙幣と区別して紙幣を収納するため、該一括収納庫に開閉可能に一時保留板を設けて、通常の取引モードでは、出金に適さないと鑑別された紙幣はリジェクト収納庫に収納して行き、紙幣収納庫内の有高を確定する精査モードを行った後の精査後取引モードでは、前記一時保留板を閉じて、出金に適さないと鑑別された紙幣を、この一時保留板上に収納することを特徴とする紙幣自動入出金装置である。
【００１０】
請求項４の発明は、上述した請求項３の紙幣自動入出金装置において、精査後取引モードを解除すると、前記一時保留板上に収納した紙幣をリジェクト収納庫に収納することを特徴とする紙幣自動入出金装置である。
請求項５の発明は、上述した請求項３の紙幣自動入出金装置において、精査後取引モード中は、一取引が終了する毎に、前記一時保留板上に収納した紙幣を紙幣収納庫に戻すことを特徴とする紙幣自動入出金装置である。
【００１１】
請求項６の発明は、上述した請求項３、４、または５の紙幣自動入出金装置において、通常の取引モードで前記一時保留板を閉じて、走行異常と鑑別された紙幣をこの一時保留板上に収納し、一取引が終了する毎に、前記一時保留板上に収納した紙幣を紙幣収納庫に戻すことを特徴とする紙幣自動入出金装置である。
請求項７の発明は、上述した請求項３、４、５または６の紙幣自動入出金装置において、前記一括収納庫に、該一括収納庫に収納した紙幣を押さえ付けるビルプレスを設け、このビルプレスの上面を、前記一時保留板として用いることを特徴とする紙幣自動入出金装置である。
【００１２】
【発明の実施の形態】
図１は本発明の第１の実施の形態を示す紙幣自動入出金装置の概略構成図、図２は第１の実施の形態の紙幣自動入出金装置の要部構成図である。
図において、１は接客口である。この接客日１には開閉可能なシャッタ１ａが設けられ、顧客が自動取引装置を操作して取引を行う際は、このシャッタ１ａが開閉して、紙幣の出し入れが行われる。
【００１３】
この接客口１は、入金取引時に顧客によりセットされた複数枚の紙幣を１枚ずつ装置内に取り込む機能、顧客に返却する紙幣を取り込む機能、出金取引時に顧客に支払う紙幣を取り込む機能等を有する。
２は表裏反転機構部である。この表裏反転機構部２は、出金取引時に接客口１に送り込む紙幣の表裏が揃うように、搬送路の一部にスイッチバックする経路を設けて、紙幣の表裏を反転させることができるようにしてある。
【００１４】
３は鑑別部である。この鑑別部３は、紙幣の真偽、正損、表裏、重送、連鎖および斜行等を検知する。
４ａ〜４ｃは金種別カセットである。これら金種別カセット４ａ〜４ｃは、紙幣を金種別に収納するもので、一例として、金種別カセット４ａは千円紙幣用、金種別カセット４ｂ，４ｃは万円紙幣用とする。
【００１５】
５ａは金種別カセット４ａに設けたステージ、５ｂは金種別カセット４ｂに設けたステージ、５ｃは金種別カセット４ｃに設けたステージで、各ステージ５ａ〜５ｃは昇降可能で、その上に紙幣が集積される。
６ａは金種別カセット４ａの直上に設けた入出金ユニット、６ｂは金種別カセット４ｂの直上に設けた入出金ユニット、６ｃは金種別カセット４ｃの直上に設けた入出金ユニットで、各入出金ユニット６ａ〜６ｃには、搬送ローラ等で構成され、紙幣の分離繰り出しおよび集積を行う分離集積機構部７ａ〜７ｃ、図示しないが金種別カセット４ａ〜４ｃ上に開閉可能に設けた一時保留板、紙幣の搬送方向を切り替えるプレード等を備えている。
【００１６】
８は一括カセットである。この一括カセット８は紙幣自動入出金装置に対して着脱可態で、金種別カセット４ａ〜４ｃに対して紙幣の補充を行ったり、該金種別カセット４ａ〜４ｃから紙幣の回収を行うためのものである。
９は一括カセット８に設けたステージで、金種別カセット４ａ〜４ｃに補充する紙幣および該金種別カセット４ａ〜４ｃから回収した紙幣を集積する。このステージは図示しないモータの駆動力を受けて昇降可能となっている。
【００１７】
１０は一括カセット８の上側に設けた一括カセット分離集積機構部、１１は一括カセット分離集積機構部１０の下側においてステージ９上に開閉可能に設けられる一時保留板である。
以下に、図２を用いて一時保留板１１の周囲の構成について説明する。
１２は左右一対のピックアップローラ、１３は左右一対の繰り出しローラ、１４は繰り出しローラ１３に対向配置される分離ローラで、これらローラにより括カセット分離集積機構部１０が構成される。
【００１８】
１５はステージ９上に紙幣を押さえ付けるビルプレスで、このビルプレス１５は上下方向に移動可能で、かつ、押し上げられる力が加わると、図示しないスプリングにより押し返す力を受けている。
１６はビルプレス１５を紙幣の分離集積時に上方に退避させた状態で保持するリフトアップレバー、１７はリフトアップレバー１６を駆動するモータである。
【００１９】
１８は一時保留板１１を駆動するモータ、１９はモータ１８の駆動力を一時保留板１１に伝達する伝達部である。一時保留板１１は、前記モータ１８の駆動力を受け、図示しないガイド機構にガイドされて水平方向に移動し、ステージ９上を塞ぐ位置からステージ９上から退避する位置まで移動する。一時保留板１１がステージ９上を塞ぐ位置にある状態を集積ポジションとする。一時保留板１１が集積ポジションにある時、該一時保留板１１上には空間が形成され、一括カセット分離集積機構部１０により一時保留板１１上に紙幣を集積可能となっている。
【００２０】
また、一時保留板１１には、側方に２本ずつのスタッド１１ａが設けられ、一時保留板１１が集積ポジションにある時に、各スタッド１１ａの上下方向の移動をガイドする溝部１１ｂを一括カセット分離集積機構部１０のフレームに設けることで、集積ポジションにある一時保留板１１を、ステージ９を上昇させることで該ステージにより押し上げることが可能なガイド機構も備えており、一時保留板１１上の紙幣を、一括カセット分離集積機構部１０を構成するピックアップローラ１２に押し付けて、繰り出すことが可能となっている。
【００２１】
一時保留板１１がステージ９上から退避する位置にある場合は、一括カセット分離集積機構部１０によりステージ９上に紙幣を集積できるとともに、ステージ９を上昇させることで、該ステージ９上の紙幣を、一括カセット分離集積機構部１０を構成するピックアップローラ１２に押し付けて、繰り出すことが可能となっている。また、ビルプレス１５を下方に移動させるとともに、ステージ９を上昇させることで、該ステージ９上の紙幣を該ビルプレス１５により押し付け、紙幣を安定した状態で集積させることができる。
【００２２】
なお、一括カセット８には、回収したした紙幣を収納する仕切り板、この仕切り板上の紙幣をステージ９上の積み替える機構が設けられているとともに、補充時の重送または斜行と鑑別されたリジェクト紙幣を収納する第１種リジェクト紙幣収納部２０が設けられている。
２１はリジェクトカセットである。このリジェクトカセット２１は紙幣自動入出金装置に対して着脱可能で、顧客の取り忘れ紙幣を収納する第２種リジェクト紙幣収納部２２と入金取引時に鑑別部３で入金可能であるが出金用紙幣としては再利用不可能と鑑別された紙幣、および出金取引時に鑑別３で出金不可能と鑑別された紙幣を鑑別部３から直接収納する第３種リジェクト紙幣収納部２３を有する。
【００２３】
２４は紙幣を搬送する搬送路で、紙幣の搬送方向を切り替える分岐部には、図示しないプレードが設けられ、各分岐部においては、矢印で示す方向に紙幣が搬送可能となっている。
紙幣の流れの槻略を説明すると、入金取引時は、接客口１にセットされた紙幣が表裏反転機構部２を通過し、鑑別部３に送り込まれる。鑑別部３を通過した紙幣はそこで鑑別が成され、入金に適する紙幣のうち、再利用可能な紙幣は金種に応じて各金種別カセット４ａ〜４ｃの入出金ユニット６ａ〜６ｃに送り込まれ、再利用不可能な紙幣は各入出金ユニット６ａ〜６ｃを通過してリジェクトカセット２１の第３種リジェクト紙幣収納部２３に送り込まれ、入金に適さない紙幣は接客口１に送り込まれる。
【００２４】
出金取引時は、顧客の指定した金種金額に応じて各金種別カセット４ａ〜４ｃから入出金ユニット６ａ〜６ｃによって紙幣が繰り出され、鑑別部３に送り込まれる。鑑別部３を通過した紙幣はそこで鑑別が成され、出金に適する紙幣は表裏反転機構部２に送り込み、裏面と鑑別された紙幣はスイッチバックの経路を通すとで表裏を揃え、接客口１に集積させる。出金に適さない紙幣はリジェクトカセット２１の第３種リジェクト紙幣収納部２３に送り込まれる。
【００２５】
補充時は一括カセット８のステージ９上の紙幣を一括カセット分離集積機構部１０により繰り出して鑑別部３に送り込む。鑑別部３を通過した紙幣はそこで鑑別が成され、出金に適する紙幣は金種に応じて各金種別カセット４ａ〜４ｃの入出金ュニット６ａ〜６ｃに送り込まれ、リジェクト紙幣は各入出金ュニット６ａ〜６ｃを通過して一括カセット８の第１種リジェクト紙幣収納部２０に送り込む。
【００２６】
回収時は、順次各金種別カセット４ａ〜４ｃから入出金ユニット６ａ〜６ｃによって紙幣が繰り出され、鑑別部３に送り込まれる。鑑別部３を通過した紙幣はそこで鑑別が成され、計数可能な紙幣は一括カセット８内の下方に設けた図示しない仕切り板上の送り込み、リジェクト紙幣は第１種リジェクト紙幣収納部２０に送り込む。
【００２７】
通常の取引モードでは、出金取引等において、金種別カセット４ａ〜４ｃから繰り出した紙幣の内、出金に適さないリジェクト紙幣と鑑別された紙幣は、上述したように、リジェクトカセット２１の第３種リジェクト紙幣収納部２３に送り込まれる。なお、リジェクト紙幣とは、真偽鑑別で金種の特定できない紙幣、正損鑑別で破れや汚れのある紙幣、走行状態鑑別で重送、連鎖、斜行等、搬送不良を起こしている紙幣である。この搬送不良を起こしている紙幣を走行リジェクト紙幣と呼ぶ。
【００２８】
次に精査機能について説明する。
精査モードに入ると、まず、一括カセット８では、一時保留板１１とビルプレス１５が退避した位置にあることを確認し、ステージ９を所定の位置に上昇させ、一括カセット分離集積機構部１０により紙幣をステージ９上に集積可能な状態とする。なお、一時保留板１１が退避していなかった場合は、モータ１８により一時保留板１１をステージ９の上方が解放する位置に退避させ、ビルプレス１５が退避していなかった場合は、モータ１７により該ビルプレス１５を上昇させ、保持する。
【００２９】
次に、複数の金種別カセットのいずれか、例えば、金種別カセット４ａのステージ５ａを上昇させ、該ステージ５ａ上の紙幣を入出金ユニット６ａの分離集積機構部７ａにより繰り出し可態な状態とする。そして、分離集積機構部７ａにより金種別カセット４ａ内の紙幣を１枚ずつ搬送路２４に繰り出す。
搬送路２４に繰り出された紙幣は鑑別部３に送り込まれ、真券で汚れや破損が規定値以下で搬送不良を起こしていないことで鑑別できた紙幣、すなわち計数可絶な紙幣は一括カセット分離集積機構部１０によりステージ９上に集積する。鑑別できなかった紙幣はリジェクトカセット２１の第３種リジェクト紙幣収納部２３に収納する。この動作を金種別カセット４ａが空になるまで行い、金種別カセット４ａが空になると、動作を停止する。
【００３０】
次に、ステージ９を上昇させ、該ステージ９上の紙幣を一括カセット分離集積機構部１０を構成するピックアップローラ１２に押し付け、該ピックアップローラ１２と繰り出しローラ１３を回転させることで、ステージ９上の紙幣を１枚ずっ搬送路２４に繰り出して行く。なお、紙幣を所定の間隔を開けて繰り出すための工夫として、例えば、ピックアップローラ１２はその一部に高摩擦部材を設けておき、この高摩擦部材のところに紙幣が接触している時のみ紙幣を繰り出し、それ以外の場所で接している時は紙幣を繰り出さないようにして、繰り出される紙幣の間隔が開くようにしてある。また、紙幣を１枚ずつ繰り出すための工夫として、繰り出しローラ１３に分離ローラ１４を対向配置し、この分離ローラ１４は紙幣収納方向にのみ回転可能とすることで、１枚目以降の紙幣が繰り出されるのを、この分離ローラ１４で止められるようになっている。
【００３１】
一括カセット分離集積機構部１０によりステージ９上から繰り出された紙幣は、鑑別部３に送り込まれ、鑑別できた紙幣は入出金ユニット６ａに送り込まれ、分離集積機構部７ａによりステージ５ａ上に集積させる。鑑別できなかった紙幣はリジェクトカセット２１の第３種リジェクト紙幣収納部２３に収納する。この動作を一括カセット８が空になるまで行い、一括カセット８が空になると、動作を停止する。
【００３２】
この動作により、金種別カセット４ａ内の紙幣が全て鑑別部３を通過するため、金種別カセット４ａ内の紙幣の有高を計数することができる。以後、順次金種別カセット４ｂと４ｃを同様の処理を行い、全ての金種別カセット４ａ〜４ｃの紙幣の有高を計数する。
次に、精査モード以降の処理を説明する。
【００３３】
図３は第１の実施の形態の動作を示すフローチャートで、精査モード以降の処理の流れを示している。また、図４〜図７は精査モード以降の紙幣の流れを示す説明図で、第１の実施の形態における精査モード以降の紙幣の流れを示している。
上述した精査モードが終了すると（ＳＡ１）、係員によりリジェクトカセット２１の第３種リジェクト紙幣収納部２３内の紙幣の有高が確認されるまで、精査後取引モードに移行する（ＳＡ２）。
【００３４】
この精査後取引モードでは、モータ１８により一時保留板１１を集積ポジションとする。また、ビルプレス１５はモータ１７により上昇させた状態を保持して、一括カセット分離集積機構部１０により一時保留板１１上に紙幣を集積可能な状態とする（ＳＡ３）。
この精査後取引モードに移行した後、顧客による取引待ちとなる。
【００３５】
例えば出金取引が行われるとする（ＳＡ４）。このとき、金種別カセット４ａから出金するものとして説明すると、金種別カセット４ａから繰り出された紙幣は鑑別部３に送り込まれ、鑑別の結果（ＳＡ５）、出金に適する紙幣は図４に示すように接客口１に送り込まれる（ＳＡ６）。これに対して出金に適さないリジェクト紙幣は、図５に示すように、一括カセット分離集積機構部１０により一時保留板１１上に集積する（ＳＡ７）。接客口１に送り込んだ紙幣が顧客の要求した金額になると、図６に示すように、シャッタ１ａを開き、顧客に紙幣を渡す（ＳＡ８）。顧客が紙幣を受け取ると、シャッタ１ａを閉じて、出金取引を終了する（ＳＡ９）。
【００３６】
精査モード後、係員によりリジェクトカセット２１の第３種リジェクト紙幣収納部２３内の紙幣の有高が確認されるまでは、上述した精査後取引モードで取引を行い、リジェクト紙幣が発生すると、これを一時保留板１１上に集積して行き、リジェクトカセット２１の第３種リジェクト紙幣収納部２３に紙幣が送り込まれないようにする。
【００３７】
そして、係員によりリジェクトカセット２１の第３種リジェクト紙幣収納部２３内の紙幣の有高が確認されると、精査後取引モードを解除する（ＳＡ１０）。
精査後取引モードを解除すると、ステージ９を上昇させることで該ステージ９により一時保留板１１を押し上げ、該一時保留板１１上の紙幣を一括カセット分離集積機構部１０を構成するピックアップローラ１２に押し付ける。そして、ピックアップローラ１２と繰り出しローラ１３を回転させることで、図７に示すように、一時保留板１１上の紙幣を１枚ずつ搬送路２４へ繰り出し、リジェクトカセット２１の第３種リジェクト紙幣収納部２３に送り込んで収納する（ＳＡ１０）。
【００３８】
一時保留板１１上の紙幣が全て繰り出されると、ステージ９を下降させるとともに、モータ１８により一時保留板１１を退避させる。
以後、通常の取引モードに移行し（ＳＡ１２）、リジェクト紙幣はリジェクトカセット２１の第３種リジェクト紙幣収納部２３に収納されることになる。そして、次回の精査では、前回の精査後取引モードで一時保留板１１上に一旦収納したリジェクト紙幣を含めた第３種リジェクト紙幣収納部２３内の紙幣の有高を係員が確認することになる。
【００３９】
ここで、一括カセット８は、一括カセット分離集積機構部１０および一時保留板１１の下側の紙幣を収納する部分のみが紙幣自動入出金装置に対して着脱可能としておけば、精査後取引モード中に一括カセット８が取り外されても、リジェクト紙幣は紙幣自動入出金装置内に残り、持ち去られることはない。
なお、上述した第１の実施の形態において、精査後取引モード中に出金取引が行われる例を説明したが、入金取引を行うことも可能となる。
【００４０】
すなわち、精査後取引モードに移行した後、入金取引が発生すると、顧客が接客口１にセットした紙幣を分離繰り出しして、鑑別部３に送り、入金に適すると鑑別された紙幣は、金種別カセット４ａ〜４ｃの図示しない一時保留板上に集積する。この時、入金に適して、かつ出金に適する千円紙幣は金種別カセット４ａの一時保留板上に集積し、入金に適して、かつ出金に適する万円紙幣は金種別カセット４ｂの一時保留板上に集積し、入金に適するが出金に適さないリジェクト紙幣は金種別カセット４ｃの一時保留板上に集積する。
【００４１】
また、入金に適さないと鑑別された紙幣は接客口１に送り込み、顧客がセットした紙幣とは区別した状態で集積する。
顧客が接客口１にセットした全ての紙幣が鑑別結果に応じて振り分けられると、顧客に金額の確認を行わせ、この段階で顧客が取引をキャンセルすると、各金種別カセット４ａ〜４ｃの一時保留板上の全紙幣を接客口１に送り、顧客に返却する。顧客が確認を行って取引を続行する場合は、金種別カセット４ａと４ｂの一時保留板を開き、入金に適して、かつ出金に適する千円紙幣は金種別カセット４ａに収納し、入金に適して、かつ出金に適する万円紙幣は金種別カセット４ｂに収納する。
【００４２】
これに対して、金種別カセット４ｃの一時保留板上の紙幣、すなわち、入金に適するが出金には適さない紙幣は、これを分離して搬送路２４に繰り出し、一括カセット８の一時保留板１１に集積する。
このように、入金取引においても、精査後取引モード中は、入金には適するが出金には適さないリジェクト紙幣が発生すると、顧客による入金金額の確認の後に、これを一時保留板１１上に集積して行き、リジェクトカセット２１の第３種リジェクト紙幣収納部２３に紙幣が送り込まれないようにする。
【００４３】
以上説明したように、本発明の第１の実施の形態では、紙幣自動入出金装置は、精査モード実行後に精査後取引モードに移行する。従って、精査後であって係員によるリジェクトカセット２１内の紙幣有高の確認前の取引でリジェクト紙幣が発生しても、そのリジェクト紙幣は精査実行前に発生したリジェクト紙幣と区別して収納され、リジェクトカセットには入らない。よって、係員がリジェクトカセット２１内の紙幣の有高確認時に、余分な紙幣が入ってくることがなく、精査結果が合わないということがない。よって、精査モード後に直ぐにリジェクトカセット２１内の紙幣の有高を確認する必要が無く、顧客による取引を受け付けることができる。また本実施例では精査後取引モードにおけるリジェクト紙幣を一括カセット８上部の一時保留板１１上に収納したが、本発明はそれに限定されない。一括カセット８が空であれば、一括カセット８下方に設けられた図示せぬ仕切り板上でもよいし、区分して収納可能な領域であればどこでもよい。
【００４４】
また、係員が有高を確認するのはリジェクトカセット２１のみで済むので、取扱に混乱が生じることはない。
次に本発明の第２の実施の形態について説明する。なお、第２の実施の形態において、紙幣自動入出金装置の構成は図１および図２で説明したものと同じであり、第２の実施の形態の動作でも同じ符号を用いて説明する。また、精査モードが終了するまでの処理は第１の実施の形態と同じである。
【００４５】
図８は第２の実施の形態の動作を示すフローチャートで、精査モード以降の処理の流れを示している。また、図９は精査モード以降の紙幣の流れを示す説明図で、第２の実施の形態における精査モード以降の紙幣の流れを示している。
精査モードが終了すると（ＳＢ１）、係員によりリジェクトカセット２１の第３種リジェクト紙幣収納部２３内の紙幣の有高が確認されるまで、精査後取引モードに移行する（ＳＢ２）。
【００４６】
この精査後取引モードでは、モータ１８により一時保留板１１を集積ポジションとする。また、ビルプレス１５はモータ１７により上昇させた状態を保持して、一括カセット分離集積機構部１０により一時保留板１１上に紙幣を集積可能な状態とする（ＳＢ３）。
この精査後取引モードに移行した後、顧客による取引待ちとなる。
【００４７】
例えば出金取引が行われるとする（ＳＢ４）。このとき、金種別カセット４ａから出金するものとして説明すると、金種別カセット４ａから繰り出された紙幣は鑑別部３に送り込まれ、鑑別の結果（ＳＢ５）、出金に適する紙幣は図４に示すように接客口１に送り込まれる（ＳＢ６）。これに対して出金に適さないリジェクト紙幣は、図５に示すように、一括カセット分離集積機構部１０により一時保留板１１上に集積する（ＳＢ７）。接客口１に送り込んだ紙幣が顧客の要求した金額になると、図６に示すように、シャッタ１ａを開き、顧客に紙幣を漬す（ＳＢ８）。顧客が紙幣を受け取ると、シャッタ１ａを閉じて、出金取引を終了する（ＳＢ９）。
【００４８】
一取引が終了すると、ステージ９を上昇させることで該ステージ９により一時保留板１１を押し上げ、該一時保留板１１上の紙幣を一括カセット分離集積機構部１０を構成するピックアップローラ１２に押し付ける。そして、ピックアップローラ１２と繰り出しローラ１３を回転させることで、図９に示すように、一時保留板１１上の紙幣を１枚ずつ搬送路２４へ繰り出し、繰り出し元である金種別カセット４ａに戻す（ＳＢ１０）。金種別カセットに収納してある紙幣は、補充時もしくは入金取引時に鑑別部３で鑑別されたものであり、一般的に、偽券や損券は無いと考えられる。そのため、出金取引時にリジェクト紙幣と鑑別された紙幣であっても、金種別カセットに戻して再度出金すれば、正常な紙幣として鑑別される可能性がある。そこで、この第２の実施の形態では、精査後取引モードでは、リジェクト紙幣が再度金種別カセットへ繰り出し可能な一時保留板１１上に収納されるので、これを繰り出し元の金種別カセットに戻すことにしたものである。なお、一取引終了時に一時保留板１１上の紙幣を金種別カセットに戻す時は、鑑別を行わず、繰り出し元に戻す。これは、処理時間を短縮するための処理であるが、次回の出金時には鑑別を行うので、問題はない。
【００４９】
精査モード後、係員によりリジェクトカセット２１の第３種リジェクト紙幣収納部２３内の紙幣の有高が確認されるまでは、上述した精査後取引モードで取引を行い、リジェクト紙幣が発生すると、これを一時保留板１１上に一旦集積して行き、一取引終了毎に、この一時保留板１１上の紙幣を繰り出し元の金種別カセットに戻すことで、リジェクトカセット２１の第３種リジェクト紙幣収納部２３に紙幣が送り込まれないようにする。
【００５０】
そして、係員によりリジェクトカセット２１の第３種リジェクト紙幣収納部２３内の紙幣の有高が確認されると、精査後取引モードを解除する（ＳＢ１１）。
精査後取引モードを解除すると、モータ１８により一時保留板１１を退避させる。
以後、通常の取引モードに移行し（ＳＢ１２）、リジェクト紙幣はリジェクトカセット２１の第３種リジェクト紙幣収納部２３に収納されることになる。そして、次回の精査では、前回の精査後取引モードで一時保留板１１上に一旦収納したリジェクト紙幣を含めた第３種リジェクト紙幣収納部２３内の紙幣の有高を係員が確認することになる。
【００５１】
以上説明したように、本発明の第２の実施の形態では、第１の実施の形態と同様に、精査モード実行後に、係員によるリジェクトカセット２１内の紙幣の有高を確認する前に出金等の取引があり、リジェクト紙幣が発生しても、装置は精査後取引モードに移行することで、その紙幣はリジェクトカセットに収納されないので、係員がリジェクトカセット２１内の紙幣の有高を確認した時に、余分な紙幣が入っていることがなく、精査結果が合わないということがない。そして、第２の実施の形態における精査後取引モードでは、一取引終了毎に、一時保留板１１上の収納したリジェクト紙幣を繰り出し元の金種別カセットに戻すことで、次回の出金取引時、再度鑑別を行って、正常なものであれば、これを支払えることで、紙幣の無駄を無くすことができるものである。
【００５２】
次に本発明の第３の実施の形態について説明する。
図１０は本発明の第３の実施の形態を示す紙幣自動入出金装置の要部構成図で、図１０（ａ）は一括カセット分離集積機構部の平面図、図１０（ｂ）は一括カセット分離集積機構部の側面図である。この、第３の実施の形態において、紙幣自動入出金装置の全体構成は図１で説明したものとほぼ同じであるが、一括カセットに一時保留板を設けず、ビルプレスとステージで一時保留板を構成する点が異なる。
【００５３】
図１０において、２５はビルプレスである。このビルプレス２５は、図２で説明した構成と同様に、モータ１７がリフトアップレバー１６を回転させることで、紙幣の分離集積時には上方に退避する。
そして、ビルプレス２５には、上方に退避した時、ピックアップローラ１２および繰り出しローラ１３を避けるため、切り欠き２６が設けられている。
【００５４】
２７は一括カセット８に設けたステージで、金種別カセット４ａ〜４ｃに補充する紙幣および該金種別カセット４ａ〜４ｃから回収した紙幣を集積する。このステージは図示しないモータの駆動力を受けて昇降可能となっている。
２８はこのステージ２７の上面に設けた凸部で、この凸部２８は、前記ビルプレス２５の切り欠き２６に合致する形状を有する。図１１は図１０のＡ−Ａ断面図で、モータ１７でビルプレス２５を下降させた状態で、ステージ２７を上昇させると、該ステージ２７の凸部２８がビルプレス２５の切り欠き２６にはまる。このとき、ビルプレス２５の上面は、図１１に示すように凹凸の無い平面となるように、凸部２８の形状が決められている。これにより、ビルプレス２５の上面を一時保留板として紙幣を集積させることが可能となる。
【００５５】
なお、ビルプレス２５は、ステージ２７上の紙幣を押さえ付ける役目も持つので、ビルプレス２５は上面と下面の両方を平面形状に形成する。このため、自身の強度を保てる厚さの薄板で形成する。ここで、ビルプレス２５に要求される強度は、一時保留板として使用する場合は、下側からステージ２７により支えられるので、単独で紙幣を集積できる強度は要求されず、ステージ２７上の紙幣を押さえ付ける時に、変形しない強度があれば良い。
【００５６】
ビルプレス２５にはスタッド２９が設けられ、このスタッド２９が図示しない上下方向に延びた長穴形状のガイドにスライド移動可能にはまっていることで、上下動可能となっている。そして、ビルプレス２５はモータ１７の駆動力をリフトアップレバー１６を介して受けて上下動可能とするため、このスタッド２９をリフトアップレバー１６に載せることで、ビルプレス２５を上昇させる時はリフトアップレバー１６により持ち上げるようにし、ビルプレス２５を下降させる時は自重と図示しないスプリングの力で落下するようにしてある。このため、ビルプレス２５が下がった位置にある時は、モータ１７の駆動力とは関係なく、ステージ２７でビルプレス２５を押し上げて、その位置を調整することが可能となっている。
【００５７】
図１２は第３の実施の形態の動作を示すフローチャートで、精査モード以降の処理の流れを示している。なお、精査モードが終了するまでの処理は第１の実施の形態と同じである。
精査モードが終了すると（ＳＣ１）、係員によりリジェクトカセット２１の第３種リジェクト紙幣収納部２３内の紙幣の有高が確認されるまで、精査後取引モードに移行する（ＳＣ２）。
【００５８】
この精査後取引モードでは、モータ１７によりビルプレス２５を下降させるとともに、図示しないモータによりステージ２７を上昇させて、該ステージ２７の凸部２８がビルプレス２５の切り欠き２６にはまるようにし、さらにステージ２７でビルプレス２５を所定量押し上げることで、ビルプレス２５を、その上面に紙幣を集積可能な集積ポジションにする（ＳＣ３）。
【００５９】
この精査後取引モードに移行した後、顧客による取引待ちとなる。
例えば出金取引が行われるとする（ＳＣ４）。このとき、金種別カセット４ａから出金するものとして説明すると、金種別カセット４ａから繰り出された紙幣は鑑別部３に送り込まれ、鑑別の結果（ＳＣ５）、出金に適する紙幣は接客口１に送り込まれる（ＳＣ６）。これに対して出金に適さないリジェクト紙幣は、一括カセット分離集積機構部１０によりビルプレス２５上に集積する（ＳＣ７）。ここで、ビルプレス２５の上面を一時保留板として用いるために該ビルプレス２５が集積ポジションにある時には、ビルプレス２５の切り欠き２６にステージ２７の凸部２８がはまることで、ビルプレス２５の上面が平面となるようにしてあるので、一括カセット分離集積機構部１０の繰り出しローラ１３により紙幣をビルプレス２５上に放出する際に、放出される紙幣がビルプレス２５の切り欠き２６に引っ掛かって集積不良を起こすことがないようにしてある。
【００６０】
接客口１に送り込んだ紙幣が顧客の要求した金額になると、シャッタ１ａを開き、顧客に紙幣を渡す（ＳＣ８）。顧客が紙幣を受け取ると、シャッタ１ａを閉じて、出金取引を終了する（ＳＣ９）。
一取引が終了すると、ステージ２７を上昇させることで該ステージ２７によりビルプレス２５を押し上げ、該ビルプレス２５上の紙幣を一括カセット分離集積機構部１０を横成するピックアップローラ１２に押し付ける。そして、ピックアップローラ１２と繰り出しローラ１３を回転させることで、ビルプレス２５上の紙幣を１枚ずつ搬送路２４へ繰り出し、繰り出し元である金種別カセット４ａに戻す（ＳＣ１０）。ビルプレス２５の切り欠き２６は、ピックアップローラ１２を避けるように設けられているので、ピックアップローラ１２の下にはビルプレス２５が存在せず、ビルプレス２５のみではピックアップローラ１２に紙幣を押し付けることができない。そこで、この切り欠き２６にステージ２７の凸部２８がはまることで、図１１に示すように、凸部２８によりビルプレス２５上の紙幣をピックアップローラ１２に押し付けることが可飴となり、該ピックアップローラ１２によりビルプレス２５上の紙幣を繰り出し可能となる。
【００６１】
なお、金種別カセットに収納してある紙幣は、補充時もしくは入金取引時に鑑別部３で鑑別されたものであり、一般的に、偽券や損券は無いと考えられる。そのため、出金取引時にリジェクト紙幣と鑑別された紙幣であっても、金種別カセットに戻して再度出金すれば、正常な紙幣として鑑別される可能性がある。そこで、この第３の実施の形態では、精査後取引モードでは、リジェクト紙幣が再度金種別カセットへ繰り出し可能なビルプレス２５上に収納されるので、これを繰り出し元の金種別カセットに戻すことにしたものである。なお、一取引終了時にビルプレス２５上の紙幣を金種別カセットに戻す時は、鑑別を行わず、繰り出し元に戻す。これは、処理時間を短縮するための処理であるが、次回の出金時には鑑別を行うので、問題はない。
【００６２】
精査モード後、係員によりリジェクトカセット２１の第３種リジェクト紙幣収納部２３内の紙幣の有高が確認されるまでは、上述した精査後取引モードで取引を行い、リジェクト紙幣が発生すると、これをビルプレス２５上に一旦集積して行き、一取引終了毎に、このビルプレス２５上の紙幣を繰り出し元の金種別カセットに戻すことで、リジェクトカセット２１の第３種リジェクト紙幣収納部２３に紙幣が送り込まれないようにする。
【００６３】
そして、係員によりリジェクトカセット２１の第３種リジェクト紙幣収納部２３内の紙幣の有高が確認されると、精査後取引モードを解除する（ＳＣ１１）。精査後取引モードを解除すると、ステージ２７を所定位置まで下降させるとともに、モータ１７によりビルプレス２５を上昇させて、その状態を保持する。
以後、通常の取引モードに移行し（ＳＣ１２）、リジェクト紙幣はリジェクトカセット２１の第３種リジェクト紙幣収納部２３に収納されることになる。そして、次回の精査では、前回の精査後取引モードでビルプレス２５上に一旦収納したリジェクト紙幣を含めた第３種リジェクト紙幣収納部２３内の紙幣の有高を係員が確認することになる。
【００６４】
以上説明したように、本発明の第３の実施の形態では、第１の実施の形態と同様に、精査モード実行後に、係員によるリジェクトカセット２１内の紙幣の有高を確認する前に出金等の取引があり、リジェクト紙幣が発生しても、装置は精査後取引モードに移行することで、その紙幣はリジェクトカセットに収納されないので、係員がリジェクトカセット２１内の紙幣の有高を確認した時に、余分な紙幣が入っていることがなく、精査結果が合わないということがない。そして、第３の実施の形態における精査後取引モードでは、リジェクト紙幣を収納する場所として、一括カセット８のビルプレス２５を一時保留板として流用できるようにしたので、一括カセット８に別途一時保留板およびこれを駆動する機構等を備える必要がなく、安価な装置とすることが可能となる。なお、第３の実施の形態において、精査後取引モードでは、第２の実施の形態と同様に、一取引毎にビルプレス２５上のリジェクト紙幣を繰り出し元に戻すこととしたが、第１の実施の形態で説明したように、精査後取引モードを解除する際に、一括してビルプレス２５上のリジェクト紙幣を第３種リジェクト紙幣収納部２３に収納することとしてもよい。
【００６５】
次に本発明の第４の実施の形態について説明する。なお、第４の実施の形態において、紙幣自動入出金装置の横成は図１および図２で説明したものと同じであり、第４の実施の形態の動作でも同じ符号を用いて説明する。
図１３は第４の実施の形態の動作を示すフローチャート、図１４，図１５は第４の実施の形態における紙幣の流れを示す説明図である。
【００６６】
この第４の実施の形態は、一括カセット８に設けた一時保留板１１を利用して、通常の取引モード時における紙幣の利用効率の向上を図るものである。
通常の取引モードである間に（ＳＤ１）、顧客により出金取引が選択されると（ＳＤ２）、モータ１８により一時保留板１１を集積ポジションとする。また、ビルプレス１５はモータ１７により上昇させた状態を保持して、一括カセット分離集積機構部１０により一時保留板１１上に紙幣を集積可能な状態とする（ＳＤ３）。
【００６７】
まず、金種別カセット４ａから出金するものとして説明すると、金種別カセット４ａから繰り出された紙幣は鑑別部３に送り込まれ、鑑別の結果（ＳＤ４）、出金に適する紙幣は図４に示すように接客口１に送り込まれる（ＳＤ５）。これに対して出金に適さないリジェクト紙幣であって、走行リジェクトと鑑別された紙幣は、図５に示すように、一括カセット分離集積機構部１０により一時保留板１１上に集積する（ＳＤ６）。またリジェクト紙幣であって、真偽・正損リジェクトと鑑別された紙幣は、図１４に示すようにリジェクトカセット２１の第３種リジェクト紙幣収納部２３に収納する（ＳＤ７）。
【００６８】
走行リジェクト紙幣と真偽・正損リジェクト紙幣を分ける理由は、走行リジェクト紙幣はそれ自身には破れ等の欠陥はなく、再度分離繰り出しすれば、正常な紙幣となり得る可能性があるので、収納した紙幣を繰り出せる一時保留板１１上に走行リジェクト紙幣は集積させて行くものである。
接客口１に送り込んだ紙幣が顧客の要求した金額になると、図６に示すように、シャッタ１ａを開き、顧客に紙幣を渡す（ＳＤ８）。顧客が紙幣を受け取ると、シャッタ１ａを閉じて、出金取引を終了する（ＳＤ９）。
【００６９】
一取引が終了すると、ステージ９を上昇させることで該ステージ９により一時保留板１１を押し上げ、該一時保留板１１上の紙幣を一括カセット分離集積機構部１０を構成するピックアップローラ１２に押し付ける。そして、ピックアップローラ１２と繰り出しローラ１３を回転させることで、図１５に示すように、一時保留板１１上の紙幣を１枚ずつ搬送路２４へ繰り出し、鑑別部３に送り込む（ＳＤ１０）。そして、鑑別の結果（ＳＤ１１）、金種に応じて金種別カセット４ａ〜４ｃのいずれかに戻す（ＳＤ１２）。この鑑別にて、再度走行リジェクトと鑑別された紙幣は、紙幣自身が走行リジェクトを引き起こす要因を持っている可能性があるので、リジェクトカセット２１の第３種リジェクト紙幣収納部２３に収納する（ＳＤ７）。
【００７０】
以上説明したように、本発明の第４の実施の形態では、走行リジェクト紙幣は、一括カセット８の一時保留板１１上に一旦集積し、取引終了後、この一時保留板１１上の紙幣を再度分離繰り出しを行って鑑別部３で鑑別を行い、走行リジェクトを起こしていない紙幣は金種に応じて金種別カセットに戻すことにしたので、本来収納されるべきではない紙幣がリジェクトカセット２１に収納されることを防ぐことができ、紙幣の利用効率を向上させることができるとともに、リジェクトカセット２１の容量を小さくすることも可能となる。
【００７１】
本発明は、銀行等の金融機関に設置される現金自動取引装置に搭載される紙幣自動入出金装置に適用可態であるとともに、コンビニエンスストア等で現金の払い出し業務を行う例が有り、このような金融機関以外で用いられる現金自動取引装置に搭載される紙幣自動入出金装置にも適用可能である。
なお、本発明は、装置を、一括カセットのステージ上を空にして、そのステージ上にリジェクト紙幣を一旦集積し、取引終了後にその紙幣を再分離して金種別カセットに戻すように構成することによって、上述した課題を解決することもできるが、本発明を上述した第１〜第４の実施の形態に示す構成とすることで、自動精査後に一括カセット内にてジャム等が発生した際にジャム紙幣を一括カセット内に入れたまま該一括カセットを装置から取り外すようなことがないので、装置内にあるべき紙幣が離ればなれにならないようにすることができるという効果を有する。
【００７２】
【発明の効果】
以上説明したように、本発明の紙幣自動入出金装置は、一括収納庫に開閉可能に一時保留板を設けて、通常の取引モードでは、出金に適さないと鑑別された紙幣はリジェクト収納庫に収納して行き、紙幣収納庫内の有高を確定する精査モードを行った後の精査後取引モードでは、前記一時保留板を閉じて、出金に適さないと鑑別された紙幣を、この一時保留板上に収納することとしたので、精査モードを実行した時にリジェクト収納庫に収納されていた紙幣に、精査モードを実行した後に行った取引で発生したリジェクト紙幣が混在することはない。よって、精査モードを実行した後、係員が直ぐにリジェクト収納庫の紙幣の有高を計数する必要がなくなり、精査モードを実行するタイミングを自由に選べるようになるとともに、精査モード実行後に、係員によるリジェクト収納庫内の紙幣の有高計数処理と関係なく、取引を続行できるので、顧客を待たせることがなく顧客サービスを向上させることができる。
【図面の簡単な説明】
【図１】本発明の第１の実施の形態を示す紙幣自動入出金装置の概略構成図
【図２】第１の実施の形態の紙幣自動入出金装置の要部構成図
【図３】第１の実施の形態の動作を示すフローチャート
【図４】精査モード以降の紙幣の流れを示す説明図
【図５】精査モード以降の紙幣の流れを示す説明図
【図６】精査モード以降の紙幣の流れを示す説明図
【図７】精査モード以降の紙幣の流れを示す説明図
【図８】第２の実施の形態の動作を示すフローチャート
【図９】精査モード以降の紙幣の流れを示す説明図
【図１０】本発明の第３の実施の形態を示す紙幣自動入出金装置の要部構成図
【図１１】図１０のＡ−Ａ断面図
【図１２】第３の実施の形態の動作を示すフローチャート
【図１３】第４の実施の形態の動作を示すフローチャート
【図１４】紙幣の流れを示す説明図
【図１５】紙幣の流れを示す説明図
【符号の説明】
４ａ〜４ｃ  金種別カセット
８  一括カセット
１１  一時保留板
２１  リジェクトカセット
【図１】
0004608770.tif 000002
【図２】
0004608770.tif 000003
【図３】
0004608770.tif 000004
【図４】
0004608770.tif 000005
【図５】
0004608770.tif 000006
【図６】
0004608770.tif 000007
【図７】
0004608770.tif 000008
【図８】
0004608770.tif 000009
【図９】
0004608770.tif 000010
【図１０】
0004608770.tif 000011
【図１１】
0004608770.tif 000012
【図１２】
0004608770.tif 000013
【図１３】
0004608770.tif 000014
【図１４】
0004608770.tif 000015
【図１５】
0004608770.tif 000016